(57)【要約】【課題】  ドッグ付きコンベアーチェーンの弛み側でのガイドを安定して行い、且つチェーン自体の寿命を延長させるガイドライナーに変わる製品搬送用に用いられるドッグ付きコンベアーチェーンの下部ガイドを提供する。【解決手段】  ドッグ付きコンベアーチェーンの下部ガイドにおいて、該ドッグ付きチェーンの戻り側に当る下部に下部ガイド・ライナーに変えて、ガイドスプロケットを設けたことを特徴とするドッグ付きコンベアーチェーンの下部ガイド。【選択図】    図２
2005187189.tif 000002
【特許請求の範囲】
【請求項１】
ドッグ付きコンベアーチェーンの下部ガイドにおいて、該ドッグ付きチェーンの戻り側に当る下部に下部ガイド・ライナーに変えて、ガイドスプロケットを設けたことを特徴とするドッグ付きコンベアーチェーンの下部ガイド。          
【発明の詳細な説明】
【技術分野】
【０００１】
本発明は、製品搬送用に用いられるドッグ付きコンベアーチェーンの下部ガイドに関するものである。
【背景技術】
【０００２】
図４は、従来技術のドッグ付きコンベアーチェーンによる搬送の断面略図である。図５は、従動側スプロケット詳細図である。図６は、図４のＡ−Ａ断面図である。これら図４〜図６は従来から製品搬送用に使用されているものである。この図に示すように、ドッグ付きコンベアーチェーン５はコンベアーチェーンのリンク部にドッグ（突起物）９を付属させたもので、主としてテーブル上の製品を簡易に搬送、長尺の製品を長い距離搬送、テーブル上に多数の製品を並べたまま搬送するような場合に使用され、距離の長い搬送ラインや多連での使用が多く、中でも搬送スピードの遅いものに用いられる。
【０００３】
この図４において、ドッグ付きコンベアーチェーン５は、テーブルの先端部駆動スプロケット１と後端従動スプロケット２により駆動され、上部及び下部ガイドライナー上を通過する構造である。チェーンに付属しているドッグ９はコンベアーテーブル上の製品を搬送するためのものである。このドッグ付きコンベアーチェーン５は上部ガイド・ライナー３では、チェーンの構成部品であるローラーが回転し、ライナー上を転がり、摩擦抵抗を少なくするようになっており、下部ガイド・ライナー４上では同様にドッグ部のコロが回転するようになっている。
【発明の開示】
【発明が解決しようとする課題】
【０００４】
しかしながら、上記従来の方法では、上部ガイド・ライナー３上では、チェーンの移動に際してコロがチェーンに発生する張力と同一線上にあり、張り側となるため、安定して転がり、製品を搬送するが、下部ガイド・ライナー４上では、チェーンが弛み側であるため、自重のみの張力も不十分で、かつ、ガイド上のドッグとの間がオフセットされているため張力が正確に伝わらない。また、ゴミ、埃、水、他の物質がガイド上に落下した場合も逃げ場がないために堆積する。しかも、チェーンの弛み側であるため、チェーン自体が傾斜、蛇行、ガイド・ライナーからの脱落等が発生し、安定して作動できない。また、上部ガイド・ライナー３上の場合ではチェーンの張力が十分にあるため、ゴミ等はチェーンによって搬送され、堆積し難いようになっている。
【０００５】
以上により、長期に渡り、上記のような状態が継続されると、コロが正常に回転せず、局所的に摩耗し、鋭利な角部が発生したり、コロ以外の部分がガイド・ライナーに擦れることにより、チェーンの偏摩耗による寿命低下、ドッグのローラー偏摩耗による搬送製品への疵等の問題に繋がるものである。また、従来からスプロケットによりガイド（テンション）をする方法はあるが、ドッグ付きに対応可能な形状のものはない。
【０００６】
また、コンベーアーチェーンの内側よりガイドする方法も可能であるが、チェーンの伸びに対応するためにはかなり頻繁な張り調整が必要であり、また、これにより余分な張力を持たせる必要がでてくるので、寿命低下の要素が発生する。よって走行スピードが遅く、自重により張り調整機能を持たせているチェーンには採用が困難となる。
【課題を解決するための手段】
【０００７】
上述したような問題を解消するために、発明者らは鋭意開発を進めた結果、通常タイプのコンベーアーチェーンでは、たるみ側受けにもスプロケットを使用する場合があるが、ドッグ付きコンベアーチェーンではドッグにより、巧くスプロケットに嵌まらない。これを、スプロケットの歯数をチェーンピッチの倍数に限定し、ドッグの当たる部分を削除し、通常よりドッグの高さ分、歯丈の高いスプロケットを用いることにより溝ずれを発生させることなく安定して回転させることが出来るようにした。これにより、ドッグ付きコンベアーチェーンの弛み側でのガイドを安定して行い、且つチェーン自体の寿命を延長させるガイドライナーに変わるものを提供することにある。
【０００８】
その発明の要旨とするところは、ドッグ付きコンベアーチェーンの下部ガイドにおいて、該ドッグ付きチェーンの戻り側に当る下部に下部ガイド・ライナーに変えて、ガイドスプロケットを設けたことを特徴とするドッグ付きコンベアーチェーンの下部ガイドにある。
【発明の効果】
【０００９】
以上説明したように、本発明のスプロケットは、コンベアーの搬送長さ、ガイド類の架台構造、距離などによる制約を受けることなく、スプロケットによる受ける数量を変化させることにより、有効にドッグ付きコンベアーチェーンのガイド・ライナーの用途を果たすことが出来る。これにより、製品の疵を防止し、チェーン寿命の向上、スキット取替え等のメンテ費の削減を図ることが出来る優れた効果を奏するものである。また通常のスプロケットよりも歯のピッチが広いため、チェーンのかかりの有効歯数が少ないが、その点は弛み側であり、かつ、ガイド、位置決めの用件のみであるために、問題にはならない。    
【発明を実施するための最良の形態】
【００１０】
以下、本発明について図面に従って詳細に説明する。
図１は、本発明に係るドッグ付きコンベアーチェーンによる搬送の断面略図である。この図に示すように基本的な操作は図４と同様である。図２は、本発明に係る特殊歯型のスプロケットによる搬送の断面略図である。また、図３は、図１のＡ−Ａ断面図である。これらの図に示すように、従来のガイド・ライナー式に変わり、特殊歯型のスプロケットを用い、チェーンの位置決めガイド及びテンションの両面で有効性を持たせることを徴としている。
【００１１】
特殊歯型とは、図２に示すように、チェーンのドッグ９の部分をスプロケット内で逃がすことが出来る構造である。チェーンのスプロケットへのかかりは通常のリンク部ローラーで受けるため、従来型のスプロケットの歯数からくるピッチ円及び歯型とする。ドッグ部の逃げはドッグ高さ（芯間）の倍数分小さいドッグピッチ円をとり、ドッグ９の付属されるリンク部において、このピッチ円でドッグ部のローラーが嵌まるように、ドッグ９の嵌まり込む部分のスプロケット歯型の中心線とピッチ円の中心とを結んだ線とドッグピッチ円の交点にローラー径プラス逃がし分（通常スプロケット逃がしと同様）をドッグピッチ円方向に左右共にとり２個の円を描く、この２個の円に外接し、それぞれ近い歯形の線を結んだ部分を削除したものが特殊歯形となる。特殊歯型の使用はドッグ９がチェーンリンクの整数倍（２以上の）毎に付属しており、且つスプロケット歯数が上記整数倍の更に整数倍（最低歯数は6枚）であることが条件となる。
【００１２】
本発明はガイド・ライナーの両方の機能を果たす特殊な歯形のスプロケットを使用することで、チェーン、コロ、ライナー、ガイドの摩耗を防止し、設備の安定稼動、修繕費用の低減、製品の疵防止を計ることが出来る。従来型の通常スプロケットはチェーンの各ピッチ毎に歯が噛み合い、張力の伝達及びチェーンの位置決めを行っているが、ドッグ付きのコンベアーチェーンの場合は弛み側になると、ドッグがスプロケット側になった場合、ドッグが邪魔になり従来型の物を使用できない。そこで、通常チェーンの偶数列の歯を削除し、且つドッグの部分をスプロケットの歯を延長することにより、この問題を解決することができる。
【実施例】
【００１３】
以下、本発明について実施例によって具体的に説明する。
本発明では、ドッグ付きチェーンとして、チェーンピッチ１５２．４ｍｍ、チェーンコロφ６３．５ｍｍ、幅３２ｍｍ、プレート厚み７．９ｍｍ、幅４４．５ｍｍ、内リンク隙間３７．１ｍｍ、外リンク隙間５３ｍｍ、ドッグ高さ（芯間）８８．９ｍｍ、ドッグφ８０ｍｍ、２リンク毎中間ローラー付きとします。チェーンのピッチ円をφ５８８．４ｍｍとし、これからドッグ高さ（芯間）８８．９ｍｍを引いたもの、φ４１０．６をドッグのピッチ円とします。また、安定作動のための隙間をチェーンのピッチ円、ドッグのピッチ円それぞれ同様に１０ｍｍとします。図２に示すように、歯の外周部の側面には（ｂ）３０度の角度で３０ｍｍの面取りを実施し、ピッチ円方向には（ａ）角部をＲ１０の面取りを行う。
【産業上の利用可能性】
【００１４】
本発明の場合は、アッセル精整クーリングベッド搬送コンベアーチェーンに設置したが、ドッグ付きチェーンによる搬送コンベアー設備全般の新設や改造時にも適用できるものである。
【図面の簡単な説明】
【００１５】
【図１】本発明に係るドッグ付きコンベアーチェーンによる搬送の断面略図である。
【図２】本発明に係る特殊歯型のスプロケットによる搬送の断面略図である。
【図３】図１のＡ−Ａ断面図である。
【図４】従来技術のドッグ付きコンベアーチェーンによる搬送の断面略図である。
【図５】図４に示す従動スプロケットの詳細図である。
【図６】図４のＢ−Ｂ断面図である。
【符号の説明】
【００１６】
１  駆動スプロケット
２  従動スプロケット
３  上部ガイド・ライナー
４  下部ガイド・ライナー
５  ドッグ付きコンベアーチェーン
６  ガイドスプロケット
７  上部ガイド・ライナー
８  下部ガイド・ライナー
９  ドック
特許出願人  山陽特殊製鋼株式会社
代理人    弁理士    椎  名    彊
【図１】
2005187189.tif 000003
【図２】
2005187189.tif 000004
【図３】
2005187189.tif 000005
【図４】
2005187189.tif 000006
【図５】
2005187189.tif 000007
【図６】
2005187189.tif 000008